【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
所定の情報提供者より無線で伝送されてくる情報を受信する受信手段と、
無線で伝送されてくる少なくとも１枚の仮想画面の情報を記憶する記憶手段と、
前記記憶手段に記憶された仮想画面の少なくとも一部の範囲の画像を表示する表示手段と、
前記表示手段に表示されている画像を、光学的に拡大して使用者に視認させる視認手段と
を備えることを特徴とする情報受信装置。
【請求項２】
前記仮想画面の範囲の一部の範囲を前記表示手段に表示させる範囲として指定する指定手段を
さらに備えることを特徴とする請求項１に記載の情報受信装置。
【請求項３】
前記指定手段は、前記表示手段の方向を判定するジャイロセンサを
備えることを特徴とする請求項２に記載の情報受信装置。
【請求項４】
前記指定手段は、前記表示手段に表示させる範囲を確定するとき操作される操作手段を
さらに備えることを特徴とする請求項２に記載の情報受信装置。
【請求項５】
無線で伝送されてくる前記情報のうちの音声情報を出力する出力手段を
さらに備えることを特徴とする請求項１に記載の情報受信装置。
【請求項６】
所定の情報提供者より無線で伝送されてくる情報を受信する受信ステップと、
無線で伝送されてくる少なくとも１枚の仮想画面の情報を記憶する記憶ステップと、
前記記憶ステップで記憶された仮想画面の少なくとも一部の範囲の画像を表示する表示ステップと、
前記表示ステップで表示されている画像を、光学的に拡大して使用者に視認させる拡大ステップと
を備えることを特徴とする情報受信方法。
【請求項７】
使用者によって操作される操作手段が設けられた情報受信装置において、
所定の情報提供装置より無線で伝送されてくる情報を受信する受信手段と、
前記受信手段により受信された前記情報に含まれる少なくとも１枚の画面情報を記憶する記憶手段と、
前記記憶手段に記憶された前記画面情報の少なくとも一部の範囲の画像を表示する表示手段と、
前記情報受信装置の回転方向を検出する検出手段と、
前記記憶手段により記憶された前記画面情報の少なくとも一部の範囲の画像であり、前記検出手段により検出された前記受信装置の回転方向に対応する範囲の画像を、前記表示手段に表示させるように制御を行い、さらに、前記使用者による前記操作手段の操作に応じて前記表示手段の表示領域の所定の位置に表示されている画像が選択されるように制御を行う制御手段と
を備えることを特徴とする情報受信装置。
【請求項８】
前記制御手段は、前記表示手段の表示領域の所定の位置に表示されている画像の色を変更する制御を行う
ことを特徴とする請求項７に記載の情報受信装置。
【請求項９】
前記制御手段は、前記操作手段が操作された際に前記表示手段の表示領域の中央に表示されている画像を選択する制御を行う
ことを特徴とする請求項７に記載の情報受信装置。
【請求項１０】
前記検出手段は、前記情報受信装置の回転によって発生する回転角速度を検出することにより、前記情報受信装置の回転方向を検出する
ことを特徴とする請求項７に記載の情報受信装置。
【請求項１１】
前記検出手段は、前記情報受信装置の回転によって発生するコリオリ力により発生する電圧に基づいて前記回転角速度を検出する
ことを特徴とする請求項１０に記載の情報受信装置。
【請求項１２】
前記表示手段により表示されている画像を、光学的に拡大する視認手段を更に備える
ことを特徴とする請求項７に記載の情報受信装置。
【請求項１３】
受信された信号に基づいて前記情報受信装置の現在の位置を検出する位置検出手段を更に備える
ことを特徴とする請求項７に記載の情報受信装置。
【請求項１４】
前記受信手段により受信された前記情報に含まれる音声情報を出力する出力手段を更に備える
ことを特徴とする請求項７に記載の情報受信装置。
【手続補正２】
【補正対象書類名】明細書
【補正対象項目名】０００６
【補正方法】変更
【補正の内容】
【０００６】
請求項６に記載の情報受信方法は、所定の情報提供者より無線で伝送されてくる情報を受信する受信ステップと、無線で伝送されてくる少なくとも１枚の仮想画面の情報を記憶する記憶ステップと、記憶ステップで記憶された仮想画面の少なくとも一部の範囲の画像を表示する表示ステップと、表示ステップで表示されている画像を、光学的に拡大して使用者に視認させる拡大ステップとを備えることを特徴とする。
請求項７の情報受信装置は、所定の情報提供装置より無線で伝送されてくる情報を受信する受信手段と、受信手段により受信された情報に含まれる少なくとも１枚の画面情報を記憶する記憶手段と、記憶手段に記憶された画面情報の少なくとも一部の範囲の画像を表示する表示手段と、情報受信装置の回転方向を検出する検出手段と、記憶手段により記憶された画面情報の少なくとも一部の範囲の画像であり、検出手段により検出された受信装置の回転方向に対応する範囲の画像を、表示手段に表示させるように制御を行い、さらに、使用者による操作手段の操作に応じて表示手段の表示領域の所定の位置に表示されている画像が選択されるように制御を行う制御手段とを備えることを特徴とする。
前記制御手段は、表示手段の表示領域の所定の位置に表示されている画像の色を変更する制御を行うようにすることができる。
前記制御手段は、操作手段が操作された際に表示手段の表示領域の中央に表示されている画像を選択する制御を行うようにすることができる。
前記検出手段は、情報受信装置の回転によって発生する回転角速度を検出することにより、情報受信装置の回転方向を検出するようにすることができる。
前記検出手段は、情報受信装置の回転によって発生するコリオリ力により発生する電圧に基づいて回転角速度を検出するようにすることができる。
前記表示手段により表示されている画像を、光学的に拡大する視認手段を更に備えるようにすることができる。
受信された信号に基づいて情報受信装置の現在の位置を検出する位置検出手段を更に備えるようにすることができる。
前記受信手段により受信された情報に含まれる音声情報を出力する出力手段を更に備えるようにすることができる。
【手続補正３】
【補正対象書類名】明細書
【補正対象項目名】０００７
【補正方法】変更
【補正の内容】
【０００７】
請求項１に記載の情報受信装置および請求項６に記載の情報受信方法においては、無線で伝送されてくる１枚の仮想画面の中から、所定の表示範囲が表示される。そして、その表示範囲は、光学的に拡大して使用者に視認される。
請求項７に記載の情報受信装置においては、所定の情報提供装置より無線で伝送されてくる情報が受信され、受信された情報に含まれる少なくとも１枚の画面情報が記憶され、その画面情報の少なくとも一部の範囲の画像が表示され、情報受信装置の回転方向が検出され、記憶された画面情報の少なくとも一部の範囲の画像であり、検出された受信装置の回転方向に対応する範囲の画像が、表示手段に表示されるように制御が行われ、さらに、使用者による操作手段の操作に応じて表示手段の表示領域の所定の位置に表示されている画像が選択されるように制御が行われる。
【手続補正４】
【補正対象書類名】明細書
【補正対象項目名】００１２
【補正方法】変更
【補正の内容】
【００１２】
請求項５に記載の情報受信装置は、無線で伝送されてくる情報のうちの音声情報を出力する出力手段（例えば、図１のヘッドホン５４Ｌ，５４Ｒ）をさらに備えることを特徴とする。
請求項７に記載の情報受信装置は、所定の情報提供装置より無線で伝送されてくる情報を受信する受信手段（例えば、図７の通信部１７）と、受信手段により受信された情報に含まれる少なくとも１枚の画面情報を記憶する記憶手段（例えば、図７のＲＡＭ１６、ＨＤＤカード２４）と、記憶手段に記憶された画面情報の少なくとも一部の範囲の画像を表示する表示手段（例えば、図７のＬＣＤ３）と、情報受信装置の回転方向を検出する検出手段（例えば、図７の３軸ジャイロセンサ１）と、記憶手段により記憶された画面情報の少なくとも一部の範囲の画像であり、検出手段により検出された受信装置の回転方向に対応する範囲の画像を、表示手段に表示させるように制御を行い、さらに、使用者による操作手段の操作に応じて表示手段の表示領域の所定の位置に表示されている画像が選択されるように制御を行う制御手段（例えば、図７のCPU１４）とを備えることを特徴とする。
請求項１２に記載の情報受信装置は、表示手段により表示されている画像を、光学的に拡大する視認手段（例えば、図４のビューファインダ５３）を更に備えることを特徴とする。
請求項１３に記載の情報受信装置は、受信された信号に基づいて情報受信装置の現在の位置を検出する位置検出手段（例えば、GPSカード２２およびGPSアンテナ２３）を更に備えることを特徴とする。
請求項１４に記載の情報受信装置は、受信手段により受信された情報に含まれる音声情報を出力する出力手段（例えば、図１のヘッドホン５４Ｌ，５４Ｒ）を更に備えることを特徴とする。
【手続補正５】
【補正対象書類名】明細書
【補正対象項目名】００３０
【補正方法】変更
【補正の内容】
【００３０】
次に、図８と図９のフローチャートを参照して、その動作について説明する。図８は、本体５１（情報受信装置）の処理を表し、図９は、サーバ８１の処理を表している。


【手続補正６】
【補正対象書類名】明細書
【補正対象項目名】００４７
【補正方法】変更
【補正の内容】
【００４７】
この図１１の表示例においては、中央に、サーチエンジン名としてＷｅｂ＆ｓｃｏｐｅサーチエンジンの文字が表示され、その上方に、音楽情報サービスサイト（サーバ）に対するアクセスを行うためのアイコン（選択画像）が表示されている。そして、その他、各方向にグルメ情報、タウン情報など、必要な情報の提供を受けるサイトにアクセスするためアイコンが表示されている。


【手続補正７】
【補正対象書類名】明細書
【補正対象項目名】００４８
【補正方法】変更
【補正の内容】
【００４８】
いま、音楽情報サービスサイトにアクセスするものとすると、使用者は、本体５１を、音楽情報サービスサイトのアイコンが表示されている上方向に指向させる。これにより、ＬＣＤ３には、図１２にフレーム５として示すように、音楽情報サービスサイトにアクセスするためのアイコンが中央に位置するように表示される。


【手続補正８】
【補正対象書類名】明細書
【補正対象項目名】００４９
【補正方法】変更
【補正の内容】
【００４９】
そこで、使用者が、操作ボタン５２をオンすると、ＣＰＵ１４は、音楽情報サービスサイトに対するアクセスを行う。通信路が形成されると、この音楽情報サービスサイトは、図１３にフレーム１７として示すような画像を伝送してくる。これがＬＣＤ３に出力され、表示される。この図１３の表示画面においては、例えば、その右上方向に、カタログ検索のためのアイコンが表示されている。従って、ここで、右上方向に本体５１を指向させれば、例えば、図１４にフレーム２２として示すように、カタログ検索のためのアイコンが中央に表示された状態となる。


【手続補正９】
【補正対象書類名】明細書
【補正対象項目名】００５２
【補正方法】変更
【補正の内容】
【００５２】
また、図１３のフレーム１７の画面において、その上方には、クラブ音楽情報サービスのメニューを選択するためのアイコンが表示されている。従って、図１３のフレーム１７に示す画面において、上方向に、本体５１を指向させれば、図１７にフレーム６９として示すように、クラブ音楽情報サービスの選択アイコンが中央に表示された状態となる。


【手続補正１０】
【補正対象書類名】明細書
【補正対象項目名】００５６
【補正方法】変更
【補正の内容】
【００５６】
この画像においては、アーティスト名のアイコンが中央に表示されている。そこで、この状態で、操作ボタン５２が操作されると、図２２にフレーム１１８として示すように、カタカナの五十音表が画面に表示された状態となる。そして、使用者は、このカタカナの五十音表の所望の文字が中央に位置するように、本体５１を指向させ、所望の文字が中央に表示されたとき、操作ボタン５２をオンする。このような操作を繰り返すことで、カタカナ文字で、アーティスト名を入力する。いまの場合、「アーテスト」の文字が入力されている。


【手続補正１１】
【補正対象書類名】明細書
【補正対象項目名】００５８
【補正方法】変更
【補正の内容】
【００５８】
アーティスト名の入力が完了すると、図２４にフレーム１３１として示すように、いま入力したアーティスト名の曲名情報が伝送されてきて、表示される。この状態において、使用者は、所望の曲名が画面の中央に位置するように、本体５１の角度を調整する。そして、所望の曲名が、画面の中央に表示された状態になったとき、操作ボタン５２をオンする。これにより、いま、例えば、「アルバム名９９９」が選択されている。
【手続補正１２】
【補正対象書類名】明細書
【補正対象項目名】００５９
【補正方法】変更
【補正の内容】
【００５９】
このような入力が行われると、いま、選択した音楽を提供する会社のサイトにアクセスが行われる。そして、その会社のサイトから、例えば、図２５にフレーム１３２として示すような画像が伝送されてきて、表示される。その後、さらに、そのサイトから、選択した曲（または、選択したアルバムに含まれる曲）の音楽データが伝送されてきて、適宜、ＲＡＭ１６に記憶される。また、画像データも伝送されてきて、ＲＡＭ１６に記憶される。音声データは、ＲＡＭ１６に記憶された場合は、そこから読み出され、記憶されない場合は、直接、入出力インタフェース１３を介して、ヘッドホン５４Ｌ，５４Ｒに出力される。また、画像データは、カラーＬＣＤコントローラ１８を介してＬＣＤ３に出力され、表示される。このようにして、例えば、図２６にフレーム１３４として示すような画像が表示される。この表示例では、曲タイトル（曲タイトルＸＸＸ）と歌詞（歌詞歌詞歌詞・・・）が表示されている。


【手続補正１３】
【補正対象書類名】明細書
【補正対象項目名】００６０
【補正方法】変更
【補正の内容】
【００６０】
このような状態において、使用者が、操作ボタン５２を、例えば３秒以上押し続けると、画面上には、図２７にフレーム１４０として示すように、Ｒｅｔｕｒｎ，Ｓｔｏｐ，Ｃｏｎｔｉｎｕｅ，登録の文字が表示されたメニューバーが表示される。使用者は、このように表示されたボタン（アイコン）の中から、所望のボタンを選択することで、所望の操作を行うことができる。例えば、Ｓｔｏｐのボタンを選択すれば、現在再生されている曲が停止される。また、例えば、図２８にフレーム１４９として示すように、「登録」のボタンを選択すれば、いま、再生されている曲が、マイフェイバリッツに登録される。すなわち、この音楽を提供している会社のサイトのデータベース中に、使用者のマイフェイバリッツのデータとして、この曲が登録される。このような登録が行われると、図２９にフレーム１５９として示すように、登録の確認を使用者によって行わせるために、「マイフェイバリッツに登録されました」のメッセージが表示される。


【手続補正１４】
【補正対象書類名】明細書
【補正対象項目名】００６１
【補正方法】変更
【補正の内容】
【００６１】
このようなマイフェイバリッツに対する登録を行うと、例えば、図１５にフレーム３８として示す、マイフェイバリッツの画像が表示された状態において、操作ボタン５２をオンすると、音楽会社のサイトは、その使用者のマイフェイバリッツとして登録された曲のタイトルを表す画像を伝送してくる。これにより、例えば、図３０にフレーム１６６として示すような画像がＬＣＤ３に表示される。この画像に示すように、図２８と図２９の表示画面で登録した「曲タイトルＸＸＸ」が、マイフェイバリッツの曲名に含まれている。


【手続補正１５】
【補正対象書類名】明細書
【補正対象項目名】００６５
【補正方法】変更
【補正の内容】
【００６５】
さらに、そのサイトは、その指定された曲の音楽データと、対応する画像を伝送してくる。図３５のフレーム１９７の画像は、このようにして、いま、使用者が選択した曲の画像の表示例を示している。この表示例においても、選択した曲のアーティスト名（あああ）、その曲のタイトル（曲名ＡＢＣ）、およびその曲の歌詞（歌詞歌詞歌詞・・・）が表示されている。


【手続補正１６】
【補正対象書類名】明細書
【補正対象項目名】００６６
【補正方法】変更
【補正の内容】
【００６６】
また、図１７のフレーム６９で示すクラブ音楽情報サービスのアイコンが中央に表示されている状態において、操作ボタン５２が操作されると、そのサイトは、例えば、図３６にフレーム２０４として示すような画像を伝送してくる。この表示例においては、アーティスト、ディスクジョッキー（ＤＪ）などの個人的なサイトを検索することができるようになされている。


【手続補正１７】
【補正対象書類名】明細書
【補正対象項目名】００６７
【補正方法】変更
【補正の内容】
【００６７】
例えば、図３６にフレーム２０４として示す画像が表示されている状態において、「アーティストＢ」のサイトを選択するには、使用者は、本体５１を左上方向に指向させる。このようにすると、図３７にフレーム２０８として示すように、「アーティストＢ」のアイコンが画面の中央に表示された状態となる。このような状態において、使用者が、操作ボタン５２をオンすれば、図３８にフレーム２２５として示すような画像が、そのサイトから伝送されてきて表示される。


【手続補正１８】
【補正対象書類名】明細書
【補正対象項目名】００７０
【補正方法】変更
【補正の内容】
【００７０】
【発明の効果】
以上の如く、請求項１に記載の情報受信装置および請求項６に記載の情報受信方法によれば、仮想画面の少なくとも一部を拡大して使用者に視認させるようにしたので、装置の小型化が可能となる。
また、請求項７に記載の情報受信装置によれば、情報受信装置の回転方向を検出し、画面情報の少なくとも一部の範囲の画像であり、その検出された前記受信装置の回転方向に対応する範囲の画像を表示させるように制御を行い、さらに、使用者による操作手段の操作に応じて前記表示手段の表示領域の所定の位置に表示されている画像が選択されるように制御を行うようにしたので、装置の小型化が可能となる。
【手続補正１９】
【補正対象書類名】明細書
【補正対象項目名】図面の簡単な説明
【補正方法】変更
【補正の内容】
【図面の簡単な説明】
【図１】本発明の情報受信装置の外観の構成を示す斜視図である。
【図２】図１の情報受信装置の使用状態を説明する図である。
【図３】図１の情報受信装置の他の使用状態を説明する図である。
【図４】図１の情報受信装置のビューファインダ５３の構成例を示す図である。
【図５】仮想画面と表示画面の関係を説明する図である。
【図６】図１の情報受信装置が使用されるシステムの全体の構成を示すブロック図である。
【図７】図１の本体５１の内部の構成例を示すブロック図である。
【図８】図７の本体５１の動作を説明するフローチャートである。
【図９】図６のサーバ８１の動作を説明するフローチャートである。
【図１０】表示の変化を説明する図である。
【図１１】図１のビューファインダ５３の表示例を示すディスプレー上に表示した画像を示す図である。
【図１２】図１のビューファインダ５３の表示例を示すディスプレー上に表示した画像を示す図である。
【図１３】図１のビューファインダ５３の表示例を示すディスプレー上に表示した画像を示す図である。
【図１４】図１のビューファインダ５３の表示例を示すディスプレー上に表示した画像を示す図である。
【図１５】図１のビューファインダ５３の表示例を示すディスプレー上に表示した画像を示す図である。
【図１６】図１のビューファインダ５３の表示例を示すディスプレー上に表示した画像を示す図である。
【図１７】図１のビューファインダ５３の表示例を示すディスプレー上に表示した画像を示す図である。
【図１８】図１のビューファインダ５３の表示例を示すディスプレー上に表示した画像を示す図である。
【図１９】図１のビューファインダ５３の表示例を示すディスプレー上に表示した画像を示す図である。
【図２０】図１のビューファインダ５３の表示例を示すディスプレー上に表示した画像を示す図である。
【図２１】図１のビューファインダ５３の表示例を示すディスプレー上に表示した画像を示す図である。
【図２２】図１のビューファインダ５３の表示例を示すディスプレー上に表示した画像を示す図である。
【図２３】図１のビューファインダ５３の表示例を示すディスプレー上に表示した画像を示す図である。
【図２４】図１のビューファインダ５３の表示例を示すディスプレー上に表示した画像を示す図である。
【図２５】図１のビューファインダ５３の表示例を示すディスプレー上に表示した画像を示す図である。
【図２６】図１のビューファインダ５３の表示例を示すディスプレー上に表示した画像を示す図である。
【図２７】図１のビューファインダ５３の表示例を示すディスプレー上に表示した画像を示す図である。
【図２８】図１のビューファインダ５３の表示例を示すディスプレー上に表示した画像を示す図である。
【図２９】図１のビューファインダ５３の表示例を示すディスプレー上に表示した画像を示す図である。
【図３０】図１のビューファインダ５３の表示例を示すディスプレー上に表示した画像を示す図である。
【図３１】図１のビューファインダ５３の表示例を示すディスプレー上に表示した画像を示す図である。
【図３２】図１のビューファインダ５３の表示例を示すディスプレー上に表示した画像を示す図である。
【図３３】図１のビューファインダ５３の表示例を示すディスプレー上に表示した画像を示す図である。
【図３４】図１のビューファインダ５３の表示例を示すディスプレー上に表示した画像を示す図である。
【図３５】図１のビューファインダ５３の表示例を示すディスプレー上に表示した画像を示す図である。
【図３６】図１のビューファインダ５３の表示例を示すディスプレー上に表示した画像を示す図である。
【図３７】図１のビューファインダ５３の表示例を示すディスプレー上に表示した画像を示す図である。
【図３８】図１のビューファインダ５３の表示例を示すディスプレー上に表示した画像を示す図である。


【手続補正２０】
【補正対象書類名】図面
【補正対象項目名】図５
【補正方法】変更
【補正の内容】
【図５】
1998283159.tif 000001
【手続補正２１】
【補正対象書類名】図面
【補正対象項目名】図８
【補正方法】変更
【補正の内容】
【図８】
1998283159.tif 000002
【手続補正２２】
【補正対象書類名】図面
【補正対象項目名】図９
【補正方法】変更
【補正の内容】
【図９】
1998283159.tif 000003
【手続補正２３】
【補正対象書類名】図面
【補正対象項目名】図１０
【補正方法】変更
【補正の内容】
【図１０】
1998283159.tif 000004
【手続補正２４】
【補正対象書類名】図面
【補正対象項目名】図１１
【補正方法】変更
【補正の内容】
【図１１】
1998283159.tif 000005
【手続補正２５】
【補正対象書類名】図面
【補正対象項目名】図１２
【補正方法】変更
【補正の内容】
【図１２】
1998283159.tif 000006
【手続補正２６】
【補正対象書類名】図面
【補正対象項目名】図１３
【補正方法】変更
【補正の内容】
【図１３】
1998283159.tif 000007
【手続補正２７】
【補正対象書類名】図面
【補正対象項目名】図１４
【補正方法】変更
【補正の内容】
【図１４】
1998283159.tif 000008
【手続補正２８】
【補正対象書類名】図面
【補正対象項目名】図１５
【補正方法】変更
【補正の内容】
【図１５】
1998283159.tif 000009
【手続補正２９】
【補正対象書類名】図面
【補正対象項目名】図１６
【補正方法】変更
【補正の内容】
【図１６】
1998283159.tif 000010
【手続補正３０】
【補正対象書類名】図面
【補正対象項目名】図１７
【補正方法】変更
【補正の内容】
【図１７】
1998283159.tif 000011
【手続補正３１】
【補正対象書類名】図面
【補正対象項目名】図１８
【補正方法】変更
【補正の内容】
【図１８】
1998283159.tif 000012
【手続補正３２】
【補正対象書類名】図面
【補正対象項目名】図１９
【補正方法】変更
【補正の内容】
【図１９】
1998283159.tif 000013
【手続補正３３】
【補正対象書類名】図面
【補正対象項目名】図２０
【補正方法】変更
【補正の内容】
【図２０】
1998283159.tif 000014
【手続補正３４】
【補正対象書類名】図面
【補正対象項目名】図２１
【補正方法】変更
【補正の内容】
【図２１】
1998283159.tif 000015
【手続補正３５】
【補正対象書類名】図面
【補正対象項目名】図２２
【補正方法】変更
【補正の内容】
【図２２】
1998283159.tif 000016
【手続補正３６】
【補正対象書類名】図面
【補正対象項目名】図２３
【補正方法】変更
【補正の内容】
【図２３】
1998283159.tif 000017
【手続補正３７】
【補正対象書類名】図面
【補正対象項目名】図２４
【補正方法】変更
【補正の内容】
【図２４】
1998283159.tif 000018
【手続補正３８】
【補正対象書類名】図面
【補正対象項目名】図２５
【補正方法】変更
【補正の内容】
【図２５】
1998283159.tif 000019
【手続補正３９】
【補正対象書類名】図面
【補正対象項目名】図２６
【補正方法】変更
【補正の内容】
【図２６】
1998283159.tif 000020
【手続補正４０】
【補正対象書類名】図面
【補正対象項目名】図２７
【補正方法】変更
【補正の内容】
【図２７】
1998283159.tif 000021
【手続補正４１】
【補正対象書類名】図面
【補正対象項目名】図２８
【補正方法】変更
【補正の内容】
【図２８】
1998283159.tif 000022
【手続補正４２】
【補正対象書類名】図面
【補正対象項目名】図２９
【補正方法】変更
【補正の内容】
【図２９】
1998283159.tif 000023
【手続補正４３】
【補正対象書類名】図面
【補正対象項目名】図３０
【補正方法】変更
【補正の内容】
【図３０】
1998283159.tif 000024
【手続補正４４】
【補正対象書類名】図面
【補正対象項目名】図３１
【補正方法】変更
【補正の内容】
【図３１】
1998283159.tif 000025
【手続補正４５】
【補正対象書類名】図面
【補正対象項目名】図３２
【補正方法】変更
【補正の内容】
【図３２】
1998283159.tif 000026
【手続補正４６】
【補正対象書類名】図面
【補正対象項目名】図３３
【補正方法】変更
【補正の内容】
【図３３】
1998283159.tif 000027
【手続補正４７】
【補正対象書類名】図面
【補正対象項目名】図３４
【補正方法】変更
【補正の内容】
【図３４】
1998283159.tif 000028
【手続補正４８】
【補正対象書類名】図面
【補正対象項目名】図３５
【補正方法】変更
【補正の内容】
【図３５】
1998283159.tif 000029
【手続補正４９】
【補正対象書類名】図面
【補正対象項目名】図３６
【補正方法】変更
【補正の内容】
【図３６】
1998283159.tif 000030
【手続補正５０】
【補正対象書類名】図面
【補正対象項目名】図３７
【補正方法】変更
【補正の内容】
【図３７】
1998283159.tif 000031
【手続補正５１】
【補正対象書類名】図面
【補正対象項目名】図３８
【補正方法】変更
【補正の内容】
【図３８】
1998283159.tif 000032